(57)【特許請求の範囲】
【請求項１】
ｉ）ジフルオロメタン（Ｒ−３２）を含む冷媒であって、冷媒の１０重量％未満がＲ−３２以外である、冷媒と、
ｉｉ）４０℃での動粘度６０〜１２０ｃＳｔを有し、直鎖状Ｃ５〜１０アルキルカルボキシエステルと分岐状Ｃ５〜１０アルキルカルボキシエステルの比が６：１〜１：６でジペンタエリトリトールの直鎖状および分岐状Ｃ５〜１０アルキルカルボキシエステルを含むポリオールエステル潤滑剤組成物であって、ジペンタエリトリトールの前記Ｃ５〜１０アルキルカルボキシエステルの８４モル％以上が直鎖状または分岐状Ｃ５アルキルカルボキシエステルである、ポリオールエステル潤滑剤組成物と、
を含む、熱伝達デバイス用の動作流体。
【請求項２】
直鎖状Ｃ５〜１０アルキルカルボキシエステルと分岐状Ｃ５〜１０アルキルカルボキシエステルの前記比が５：１〜１：５である、請求項１に記載の動作流体。
【請求項３】
前記ポリオールエステル潤滑剤組成物が、４０℃での動粘度６０〜１００ｃＳｔを有する、請求項１に記載の動作流体。
【請求項４】
前記ポリオールエステル潤滑剤組成物がさらに、ネオペンチルグリコール、トリメチロールプロパン、ペンタエリトリトール、トリペンタエリトリトール、および／またはペンタエリトリトールモノマー４個以上を含むオリゴマーの直鎖状または分岐状Ｃ５〜１０アルキルカルボキシエステルをさらに含み、前記Ｃ５〜１０アルキルカルボキシエステルすべての５０モル％以上が直鎖状または分岐状Ｃ５アルキルカルボキシエステルであり、かつ存在するＣ５〜１０アルキルカルボキシエステルすべてが、直鎖状Ｃ５〜１０アルキルカルボキシエステルと分岐状Ｃ５〜１０アルキルカルボキシエステルの比が６：１〜１：６である、請求項１に記載の動作流体。
【請求項５】
前記ポリオールエステル潤滑剤組成物が、ジペンタエリトリトールのＣ５〜１０アルキルカルボキシエステル３０〜９０重量％、およびネオペンチルグリコール、トリメチロールプロパンおよび／またはペンタエリトリトールのＣ５〜１０アルキルカルボキシエステル１０〜７０重量％を含み、前記重量％が、前記ポリオールエステル潤滑剤組成物の全重量に対する％である、請求項４に記載の動作流体。
【請求項６】
前記ポリオールエステル潤滑剤組成物が、ジペンタエリトリトールのＣ５〜１０アルキルカルボキシエステル５０〜９０重量％、およびネオペンチルグリコール、トリメチロールプロパンおよび／またはペンタエリトリトールのＣ５〜１０アルキルカルボキシエステル１０〜５０重量％を含む、請求項５に記載の動作流体。
【請求項７】
前記ポリオールエステル潤滑剤組成物が、ジペンタエリトリトールのＣ５〜１０アルキルカルボキシエステル３０〜７０重量％、およびペンタエリトリトールのＣ５〜１０アルキルカルボキシエステル３０〜７０重量％を含む、請求項４に記載の動作流体。
【請求項８】
前記冷媒が本質的にＲ−３２からなる、請求項１及び３〜７のいずれか一項に記載の動作流体。
【請求項９】
１種または複数種の酸化防止剤、極圧添加剤、耐摩耗添加剤、摩擦低減添加剤、消泡剤、予備発泡剤、金属不活性化剤、酸捕捉剤またはその混合物をさらに含む、請求項１及び３〜７のいずれか一項に記載の動作流体。
【発明の詳細な説明】
【技術分野】
【０００１】
本出願は、その開示内容が参照により本明細書に組み込まれる、２０１２年２月１５日出願の米国仮特許出願第６１／５９９，００４号明細書および２０１３年２月１４日出願の米国特許出願第１３／７６６，８８４号明細書の利益を主張する。
【０００２】
冷凍および空気調和システムなどの熱伝達デバイスに適した動作流体が提供され、前記動作流体は、ヒドロフルオロカーボン冷媒、つまりＲ−３２とも呼ばれるジフルオロメタンと、４０℃での動粘度３２〜１２０ｃＳｔを有し、ジペンタエリトリトールの直鎖状および分岐状Ｃ５〜１０アルキルカルボキシエステルを含むポリオールエステル潤滑剤組成物と、を含み、ジペンタエリトリトールのＣ５〜１０アルキルカルボキシエステルの４０モル％以上、一般に６０モル％以上が直鎖状または分岐状Ｃ５アルキルカルボキシエステルである。多くの実施形態において、ジフルオロメタンは、動作流体における優先的な、または唯一の冷媒である。
【背景技術】
【０００３】
冷蔵庫、冷凍機、熱ポンプおよび空気調和システムなどの熱伝達デバイスはよく知られている。簡単に言えば、かかるデバイスは、適切な沸点の冷媒がその周囲からの熱を受け取って低圧で蒸発し、その蒸気が凝縮器に送られ、そこで蒸気は液体へと再び凝縮して、新たな周囲へと熱を放出し、次いで凝縮液が蒸発器へと戻されて完了するサイクルを介して動作する。圧縮機等の冷凍装置の機械部品の他に、冷媒、適切な熱伝達材料、冷媒の損失を防ぐシーラントおよびデバイスの可動部品の動作を可能にする潤滑剤など、特に適合した材料が必要とされる。
【０００４】
例えば、潤滑または封止を提供するのに十分な量の潤滑剤が圧縮機において望まれる。潤滑剤は、荷重下での軸受などの可動部品の摩耗に対する保護を提供し、圧縮機から熱を除去し、冷媒の損失を防ぐ封止を保存するのを助け、低圧から高圧へのガスの効率的な圧縮を確実にするために隙間を封止し、かつ騒音を減らす（減衰）ために使用することができる。
【０００５】
潤滑剤は、良好な低温流動性を有し、熱安定性である必要がある。
【０００６】
冷凍潤滑剤は冷媒と相溶性である必要もある。例えば、圧縮機の取り扱いでは、潤滑流体は、潤滑剤に溶解された冷媒の溶液として考えられる。蒸発器などの冷凍システムの他の部品では、オイルは、冷媒に溶解された潤滑剤として考えられ得る。一般に、冷凍システム全体の動作条件（温度および圧力）にわたって潤滑剤と冷媒とが高い混和性を有することが望ましく、混和性が部分的であると、熱伝達に問題が起こり、オイルを圧縮機に戻すのも妨げられる。
【０００７】
例えば、蒸発器は、システムの最も冷たい部分であり、相分離が起こりやすい場所であるが、潤滑剤を含有する動作流体は、システムの他の場所で遭遇する、より高い温度でも機能しなければならない。
【０００８】
したがって、その互いの溶解性の程度に応じて、冷媒と潤滑剤の組み合わせは、完全に混和性、部分的に混和性、または不混和性に分類される。冷媒と潤滑剤の部分的混和性の混合物は、特定の温度および冷媒中の潤滑剤濃度にて互いに可溶性であり、他の条件下で２つ以上の液相に分離する。
【０００９】
オゾン層破壊および地球温暖化に関する問題によって、従来のクロロフルオロカーボン冷媒が、新たな材料または代替材料と交換されている。クロロフルオロカーボン冷媒の代替材料の一例、ジフルオロメタンは、クロロフルオロカーボンの有害なオゾン層破壊特性のない非常に効率的な冷媒である。しかしながら、この非常に望ましい冷媒を十分に活用するために、克服しなければならない技術的な障害がある。
【００１０】
冷媒Ｒ−３２、つまりジフルオロメタンは、オゾン層破壊可能性（ＯＤＰ）０および地球温暖化係数（ＧＷＰ）６５０を有するヒドロフルオロカーボン（ＨＦＣ）である。しかしながら、Ｒ−３２は中程度に引火性であり、より重要なことには、現在の熱伝達システムで使用するのに必要な特性を有する潤滑剤との混和性が不十分である。これらの技術的障害を克服するために、Ｒ−３２がブレンドで使用され、例えば、Ｒ−１４０Ａは、ジフルオロメタン（Ｒ−３２）とペンタフルオロエタン（Ｒ−１２５）の共沸（５０重量％／５０重量％）混合物であり；Ｒ−４０７Ａは、ジフルオロメタンとペンタフルオロエタンおよびテトラフルオロエタン（Ｒ−１３４ａ）との共沸混合物である。単独で使用する場合にＲ−３２が直面する障害のいくつかが克服されるが、これらのブレンドは、性能または環境上の観点からそれほど望ましくない。
【００１１】
上記のように、Ｒ−３２は、ＧＷＰ６５０を有し、冷媒Ｒ−４１０ＡのＧＷＰ＝２１００よりもかなり低い。Ｒ−４１０Ａは、ＯＤＰ ０．０５５およびＧＷＰ１８１０を有するＲ−２２（クロロジフルオロメタン）ＨＣＦＣ冷媒の代替品とみなされている。Ｒ−３２はまた、Ｒ−４１０Ａよりも１０％高い容積を有し、それによって成績係数（ＣＯＰ）が高くなる。
【００１２】
独占的にＲ−３２で動作することができる、冷凍およびＡＣ装置の開発が近年、再燃している。Ｒ−３２は、Ｒ−４１０Ａよりも高い圧力で動作するが、経済的側面の改善と共に装置のデザインの向上によって、Ｒ−３２の使用が現実的な事項となった。エンジニアリングの向上によって、引火の危険性を最小限にするように制御され、Ｒ−４１０Ａは、非引火性（評点Ａ１）とみなされ、Ｒ−３２は中程度に引火性（評点Ａ２）とみなされ、かつ一部の用途に対する引火性炭化水素冷媒（評点Ａ３）の受け入れが増大しつつあることから、Ｒ−３２が新たな装置用の次世代の主流低ＧＷＰ冷媒となる可能性が高まっている。
【００１３】
Ｒ−３２の受け入れについて残っている問題の１つは、Ｒ−４１０Ａと共に現在使用されている合成潤滑剤がＲ−３２との使用に完全には適していないことである。Ｒ−４１０Ａと共に最も一般的に使用されている潤滑剤は、ポリオールエステルおよびポリビニルエーテルである。現在の商業的潤滑剤は、冷凍／ＡＣシステムの全動作範囲にわたって、特により望ましい潤滑剤粘度にて、Ｒ−３２との適切な混和性／溶解性を持たない。また、Ｒ−３２ベースの装置は、より高い吐出温度で動作し、そのため潤滑剤に対して熱安定性の更なる要求条件が求められる。
【００１４】
合成エステルベース潤滑剤は、多くのシステムにおいて有効な冷凍潤滑剤である。エステル混合物の物理的性質、例えば粘度等は、エステルの種類および存在するエステルの割合に応じて異なる。
【００１５】
米国特許第６，４４４，６２６号明細書には、ペンタエリトリトール、ジペンタエリトリトール、トリペンタエリトリトールおよびテトラペンタエリトリトールエステルの混合物、ならびに前述のエステルおよびトリメチロールポリオールエステルとの混合物を含む、冷却剤または潤滑剤として使用するのに十分に適した配合流体が開示されている。米国特許第６，４４４，６２６号明細書のペンタエリトリトールとポリペンタエリトリトールエステルの混合物は、ポリオール／エステルのオリゴマー化を生じさせる条件下にて完全なエステル化に必要とされるよりも少ないカルボン酸を使用して、酸性条件下でポリオールを一部エステル化することによる、米国特許第３，６７０，０１３号明細書の一般的な教示に従い、２段階プロセスにおいて優勢的にモノペンタエリトリトールである開始ポリオールから調製される。次の工程では、ヒドロキシ基のエステル化を完了する。
【００１６】
米国特許第５，４８６，３０２号明細書に、分岐鎖カルボン酸を使用してポリオールをエステル化することによって得られる、より高い粘度のＰＯＥ潤滑剤が開示されており；残念なことに、これらの分岐鎖エステルは、特定の熱伝達デバイスで使用するには潤滑性が不十分である。
【００１７】
米国特許第６，７７４，０９３号明細書には、米国特許第６，４４４，６２６号明細書に記載の潤滑剤と同様な、エステルを含む冷凍潤滑剤が開示されているが、粘度がそれよりかなり高くなれば、フッ素化冷媒と共に使用するのに適するようになる。
【００１８】
同時係属中の米国特許出願第１２／６８４，３１５号明細書に、ペンタエリトリトールのモノ、ジ、トリ、テトラおよびそれ以上のオリゴマーのカルボキシエステルの混合物を含む冷凍潤滑剤であって、少なくとも２５％がテトラペンタエリトリトールまたはそれ以上のオリゴマーのエステルである、冷媒としてのＣＯ２と共に使用するのに有用な冷凍潤滑剤が開示されている。同時係属中の米国特許出願第１３／０８０，７３９号明細書にも、主にＣ３〜６直鎖状カルボン酸のエステル、例えば、ｎ−ペンタン酸エステルを含有し、かつペンタエリトリトール基４個以上を含有するペンタエリトリトールオリゴマーのエステル３０重量％以上を含む、ＣＯ２と使用するのに有用な高粘度の潤滑剤が開示されている。
【００１９】
驚くべきことに、ジペンタエリトリトールカルボキシレートエステルを含むポリオールエステルの特定の混合物であって、そのカルボキシレート基の少なくとも４０％、例えば少なくとも５０、６０または７０％がペンタノイルである、混合物は、Ｒ−３２冷媒と共に使用するのに理想的に適した潤滑剤ベースストックを提供することが判明した。前記アルキルカルボキシレートエステル、および他のネオペンチルポリオールエステルとのそのブレンドは、期待される粘度およびＲ−３２混和性よりも高いだけでなく、優れた潤滑性、膜の形成（ｂｕｉｌｄｉｎｇ）および耐力特性も有する。
【発明の概要】
【課題を解決するための手段】
【００２０】
本発明は、ヒドロフルオロカーボン冷媒ジフルオロメタン、つまりＲ−３２と、４０℃での動粘度３２ｃＳｔ以上を有するポリオールエステル潤滑剤組成物と、を含む熱伝達デバイスに適した動作流体であって、前記潤滑剤組成物が、ジペンタエリトリトールのＣ５〜１０アルキルカルボキシエステルを含み、アルキルカルボキシレート基の少なくとも４０モル％、６０モル％以上がペンタノイル基である、動作流体を提供する。
【００２１】
他の種類の冷媒が存在してもよいが、ヒドロフルオロカーボン、つまりＨＦＣ冷媒が、存在するすべての冷媒の過半数を占め、多くの実施形態では、冷媒は、優勢的に、または独占的にＨＦＣ冷媒で構成される。多くの実施形態において、動作流体は、優勢的な冷媒としてジフルオロメタンを含み、特定の詳細な実施形態では、冷媒は、ジフルオロメタンから本質的になり、つまりジフルオロメタン以外の冷媒が、本発明の基本的かつ新規な特徴に実質的に影響を及ぼさない量で存在する。
【００２２】
本発明のジペンタエリトリトールポリオールエステルは都合よくは、既知の方法によって製造され、他のポリオールエステル、例えばペンタエリトリトール、ネオペンチルグリコールまたはトリメチロールプロパンのカルボン酸エステルとブレンドすることができる。一実施形態において、本発明のポリオールエステル潤滑剤組成物は、ペンタエリトリトールのＣ５〜１０アルキルカルボキシエステルとジペンタエリトリトールのＣ５〜１０アルキルカルボキシエステルの混合物を含み、すべてのアルキルカルボキシレート基の少なくとも５０モル％、一般に６０モル％以上がペンタノイルである。
【発明を実施するための形態】
【００２３】
ｉ）ジフルオロメタン（Ｒ−３２）を含む冷媒；
ｉｉ）Ｃ５〜１０アルキルカルボキシジペンタエリトリトールエステルを含むポリオールエステル潤滑剤組成物であって、アルキルカルボキシジペンタエリトリトールエステルのアルキルカルボキシレート基の少なくとも４０モル％がペンタノイル基である、組成物；
を含む動作流体であって、
ポリオールエステル潤滑剤組成物が、３２ｃＳｔ、しばしば４０ｃＳｔを超える４０℃での動粘度、例えば５０ｃＳｔ以上の４０℃での動粘度、または６０ｃＳｔ以上の４０℃での動粘度を有する、動作流体。
【００２４】
ポリオールエステル潤滑剤組成物は、直鎖エステルと分枝鎖エステルの比９：１〜１：９で直鎖および分枝鎖Ｃ５〜１０アルキルカルボキシエステルを含む。
【００２５】
本発明の潤滑剤は、少なくとも３２ｃＳｔ、４０ｃＳｔ、４６ｃＳｔ、６０ｃＳｔ以上の４０℃での動粘度を有し、９０、ｃＳｔ、１００ｃＳｔ、１１０、ｃＳｔ、１２０ｃＳｔまたは１５０ｃＳｔと高い動粘度であり得る。大部分の場合には、４０℃での動粘度は、３２〜１２０ｃＳｔ、例えば３２〜１００ｃＳｔ、例えば４０〜１００ｃＳｔ、または４６〜１００ｃＳｔである。一般に、本発明の潤滑剤は、３２〜１００、４８〜１００のＩＳＯ粘度グレードを有し、例えば、４８、６８、１００、またはその間のいくつかの値のＩＳＯ粘度グレードを必要とするシステムで十分に機能する。
【００２６】
ポリオールエステル潤滑剤組成物は、ジペンタエリトリトールエステルの混合物からなり得るが、多くの実施形態では、潤滑剤は、同一またはそれ以下の粘度を有する、ジペンタエリトリトールエステルと、他のネオペンチルポリオールエステル、例えばネオペンチルグリコール、トリメチロールプロパン、ペンタエリトリトール、トリペンタエリトリトール、および／またはペンタエリトリトールモノマー４個以上を含むオリゴマーのエステルと、の混合物を含み、４０℃での動粘度３２〜１００ｃＳｔのポリオールエステル潤滑剤組成物が得られる。
【００２７】
本発明のジペンタエリトリトールエステルは、式Ｉ：
【化１】
0006021949.tif 000002
の化合物の混合物であり、
上記式中、Ｒはそれぞれ独立して、炭素原子５〜１０個の直鎖状または分岐状アルキルカルボニルであり、そのアルキルカルボニルの６０モル％、しばしば７０モル％、７５モル％以上がＣ５アルキルカルボニルである。直鎖状アルキルカルボニルと分岐状アルキルカルボニルの比は、９：１〜１：９、しばしば６：１〜１：６、または５：１〜１：５である。
【００２８】
ポリオールエステル潤滑剤組成物中のすべてのエステルの少なくとも３０重量％、例えば５０重量％、６０重量％、または７５重量％が式Ｉの化合物であり、一実施形態では、９０重量％以上が式Ｉの化合物であり、特定の一実施形態では、潤滑剤組成物中のポリオールエステルの本質的にすべてが式Ｉの化合物である。
【００２９】
一部の実施形態において、ジペンタエリトリトールエステルが、ネオペンチルグリコール、トリメチロールプロパン、ペンタエリトリトールおよびペンタエリトリトールオリゴマーの直鎖状または分岐状Ｃ５〜１０アルキルカルボキシエステルとブレンドされる。これらのブレンドにおいて、存在するすべてのＣ５〜１０アルキルカルボキシエステルの５０モル％以上がＣ５アルキルカルボキシエステルであり、すべてのジペンタエリトリトールエステルの６０モル％、７０モル％、７５モル％以上がＣ５アルキルカルボキシエステルである。
【００３０】
一実施形態において、ポリオールエステル潤滑剤組成物は、式Ｉの化合物と、ペンタエリトリトールエステル、つまり式ＩＩ：
【化２】
0006021949.tif 000003
（式中、Ｒはそれぞれ独立して、炭素原子５〜１０個の直鎖状または分岐状アルキルカルボニルである）の化合物と、の混合物を含む。かかる実施形態において、ポリオールエステル潤滑剤組成物は、式Ｉのジペンタエリトリトールエステル３０〜７０重量％および式ＩＩのペンタエリトリトールエステル３０〜７０重量％を含むことができ、すべてのＣ５〜１０アルキルカルボキシエステルの５０％以上がＣ５アルキルカルボキシエステルである。
【００３１】
他の実施形態において、ポリオールエステル潤滑剤組成物は、式Ｉの化合物とネオペンチルグリコールおよび／またはトリメチロールプロパンのＣ５〜１０アルキルカルボキシレートエステルとの混合物、あるいは式Ｉの化合物および式ＩＩの化合物と、ネオペンチルグリコールおよび／またはトリメチロールプロパンのＣ５〜１０アルキルカルボキシレートエステルとの混合物を含む。
【００３２】
いくつかの一般に使用されるポリオールエステルおよびポリビニルエーテル潤滑剤は、冷媒Ｒ−３２、または優勢的または本質的にＲ−３２である冷媒混合物と混和性であるが、これらの潤滑剤は低い粘度、例えば、４０℃での動粘度３２ｃＳｔを有し、かつ広い温度範囲で本発明の潤滑剤ほど混和性ではない。多くの熱伝達システム、つまり冷凍、空気調和等には、より高い粘度の潤滑剤が好ましく、場合によっては必要である。本発明の潤滑剤は、必要な範囲のＲ−３２混和性を有し、かつより高い粘度で利用可能である。
【００３３】
本出願において、別段の指定がない限り、「１つ（ａ）」の化合物または「１つ（ａｎ）」の構成要素とは、「１つまたは複数の」化合物または「構成要素」を意味する。「過半数」とは、５０％以上、一般に５０％を超えることを意味し、「優先的に（ｐｒｅｄｏｍｉｎａｔｅｌｙ）」とは、かなりの過半数、例えば７０％以上を意味し、冷媒の場合には、「優先的にＲ−３２」とは、冷媒の１５重量％未満、しばしば１０重量％または５重量％未満がＲ−３２以外の冷媒であることを意味する。
【００３４】
式ＩおよびＩＩの各Ｒ、ならびに本発明の他のネオペンチルアルコールエステル上に存在する各アルキルカルボニルは独立して、直鎖状または分岐状であり得る、炭素原子５〜１０個のアルキルカルボニルであり、すべてのＣ５〜１０アルキルカルボキシレートエステルの少なくとも４５％以上、一般に潤滑剤組成物中のすべてのアルキルカルボニル基の５０％、６０％、７０％、７５％、９０％以上がペンタノイルである。
【００３５】
多くの実施形態において、すべてのアルキルカルボニル基の過半数は、ｎ−ペンタン酸約６６％と２−メチルブタン酸約３４％との混合物から誘導される。すべてのアルキルカルボニル基の例えば、６０％、７０％、８０％、または９０％は、ｎ−ペンタン酸約６６％と２−メチルブタン酸約３４％との混合物から誘導される。
【００３６】
一般に、存在する直鎖状Ｃ５〜１０アルキルカルボニルと分岐状Ｃ５〜１０アルキルカルボニルの比は、９：１〜１：９、しばしば６：１〜１：６または５：１〜１：５、例えば、３：１〜１：３である。しばしば、直鎖状Ｃ５アルキルカルボニルと分岐状Ｃ５アルキルカルボニルの比は、５：１〜１：３、しばしば３：１〜１：１である。
【００３７】
本発明のポリオールエステルの混合物は、よく知られている方法によって調製される。
【００３８】
上述の式ＩまたはＩＩの化合物と同様な他の化合物が動作流体中に少量存在し得る。例えば、不完全なエステル化によって、１つまたは複数のＲ基が水素である化合物の存在が生じることがあり、使用される合成方法に応じて、より高い分岐度を示す、より高級なオリゴマーも可能性がある。
【００３９】
より多い量の直鎖状または非ペンタノイルアルキルカルボニル基を含有する同様な潤滑剤と比較して、上記の潤滑剤は、かなり向上したＲ−３２との混和性を有することが確認されている。
【００４０】
本発明の動作流体は、上記の潤滑剤と、Ｒ−３２を含む冷媒と、を含む。冷媒は、複数種のＨＦＣ化合物の混合物であってもよいし、または非ＨＦＣ化合物を含有してもよいが、一般に冷媒は優勢的にＲ−３２である。例えば、動作流体中に存在し得る他の冷媒としては、ＣＯ２、アンモニア等が挙げられるが、冷媒の少なくとも８５重量％、しばしばそれ以上がＨＦＣであり、一般に冷媒の少なくとも９０％または９５％、しばしばそれ以上がＲ−３２である。
【００４１】
ポリオールエステル潤滑剤と冷媒の混合割合は特に制限されないが、潤滑剤は、冷媒１００重量部につき１〜５００重量部、さらに好ましくは２〜４００重量部の割合で存在し得る。一実施形態において、動作流体は、潤滑剤と冷媒の重量に対してエステル潤滑剤を５〜２０重量％含む。
【００４２】
本発明の具体的な実施形態の例は：
ｉ）ジフルオロメタン（Ｒ−３２）を含む冷媒と、
ｉｉ）４０℃での動粘度３２〜１２０ｃＳｔを有し、直鎖状Ｃ５〜１０アルキルカルボキシエステルと分岐状Ｃ５〜１０アルキルカルボキシエステルの比９：１〜１：９、しばしば６：１〜１：６または５：１〜１：５で、ジペンタエリトリトールの直鎖状および分岐状Ｃ５〜１０アルキルカルボキシエステルを含む、ポリオールエステル潤滑剤組成物であって、ジペンタエリトリトールのＣ５〜１０アルキルカルボキシエステルの６０モル％以上、例えば７０モル％以上、しばしば７５モル％以上が直鎖状または分岐状Ｃ５アルキルカルボキシエステルである組成物と、
を含む熱伝達デバイス用の動作流体；または
ポリオールエステル潤滑剤組成物が、４０℃での動粘度３２〜１００ｃＳｔ、または４６〜１００ｃＳｔを有する、上述の動作流体；を包含する。
【００４３】
ｉ）ジフルオロメタン（Ｒ−３２）を含む冷媒と、
ｉｉ）４０℃での動粘度３２〜１２０ｃＳｔを有し、上述のジペンタエリトリトールの直鎖状および分岐状Ｃ５〜１０アルキルカルボキシエステルを含み、かつネオペンチルグリコール、トリメチロールプロパン、ペンタエリトリトール、トリペンタエリトリトールおよび／またはペンタエリトリトールモノマー４個以上を含むオリゴマーのＣ５〜１０アルキルカルボキシエステルをさらに含む、ポリオールエステル潤滑剤組成物であって、Ｃ５〜１０アルキルカルボキシエステルすべての５０モル％以上が直鎖状または分岐状Ｃ５アルキルカルボキシエステルであり、かつ存在するすべてのＣ５〜１０アルキルカルボキシエステルのすべての組み合わせが、直鎖状Ｃ５〜１０アルキルカルボキシエステルと分岐状Ｃ５〜１０アルキルカルボキシエステルの比が９：１〜１：９、６：１〜１：６、または５：１〜１：５である、組成物と、
を含む、熱伝達デバイス用の動作流体；
ポリオールエステル潤滑剤組成物が、ジペンタエリトリトールのＣ５〜１０アルキルカルボキシエステル３０〜９０重量％、ネオペンチルグリコール、トリメチロールプロパンおよび／またはペンタエリトリトールのＣ５〜１０アルキルカルボキシエステル１０〜７０重量％を含み、その重量％がポリオールエステル潤滑剤組成物の全重量に対する％である、上記の動作流体；
ポリオールエステル潤滑剤組成物が、ジペンタエリトリトールのＣ５〜１０アルキルカルボキシエステル５０〜９０重量％、ネオペンチルグリコール、トリメチロールプロパンおよび／またはペンタエリトリトールのＣ５〜１０アルキルカルボキシエステル１０〜５０重量％を含む、上記の動作流体；または
ポリオールエステル潤滑剤組成物が、ジペンタエリトリトールのＣ５〜１０アルキルカルボキシエステル３０〜７０重量％、ペンタエリトリトールのＣ５〜１０アルキルカルボキシエステル３０〜７０重量％を含む、上記の動作流体。
【００４４】
冷媒がＲ−３２を含み、かつ冷媒の１５重量％未満、例えば１０重量％未満がＲ−３２以外の冷媒であり、かつ他のヒドロフルオロカーボン冷媒、ＣＯ２、アンモニアおよび炭化水素冷媒から選択される、あるいは冷媒がＲ−３２から本質的になる、上記の動作流体のいずれか。
【００４５】
ポリαオレフィン、ポリアルキレングリコール、アルキル化芳香族化合物、ポリビニルエーテル、鉱油、他のエステルベースの潤滑剤、例えばペンタエリトリトールオリゴマーのエステル、植物油等の他の潤滑剤と、ポリオールエステルエステルをブレンドして、潤滑剤組成物を形成することもできる。しかしながら、上記で定義されるポリオールエステルの混合物は、動作流体の製造に使用される潤滑剤組成物の過半数の、優勢的な、または唯一の成分であり、他の潤滑剤ベースストックに添加する場合には、冷媒と共にそれを使用することに関してポリオールエステル組成物の望ましい特性が損なわれないように注意を払わなければならない。
【００４６】
したがって、本発明の動作流体はさらに、成分ｉ）およびｉｉ）に加えて、鉱油、ポリαオレフィン、アルキルベンゼン、成分ｉｉ）のネオペンチルポリオールエステル以外のカルボン酸エステル、ポリエーテル、ポリビニルエーテル、パーフルオロポリエーテル、リン酸エステルまたはその混合物の１つまたは複数を少量であるが、通常１０重量％未満、５重量％未満、一般に２重量％未満含み得る。
【００４７】
本発明の動作流体は、当技術分野で一般的な他の成分、例えば添加剤、他の潤滑剤を含み得る。動作流体中にも存在し得る一般的な添加剤としては、酸化防止剤、極圧添加剤、耐摩耗添加剤、摩擦低減添加剤、消泡剤、予備発泡剤（ｐｒｏｆｏａｍｉｎｇ  ａｇｅｎｔ）、金属不活性化剤、酸捕捉剤等が挙げられる。
【００４８】
使用することができる酸化防止剤の例としては、２，６−ジ−ｔ−ブチル−４−メチルフェノールおよび４，４’−メチレンビス（２，６−ジ−ｔ−ブチルフェノール）などのフェノール系酸化防止剤；ｐ，ｐ−ジオクチルフェニルアミン、モノオクチルジフェニルアミン、フェノチアジン、３，７−ジオクチルフェノチアジン、フェニル−１−ナフチルアミン、フェニル−２−ナフチルアミン、アルキルフェニル−１−ナフチルアミン、およびアルキルフェニル−２−ナフチルアミンなどのアミン酸化防止剤；硫黄含有酸化防止剤、例えばアルキルジスルフィド、チオジプロピオン酸エステルおよびベンゾチアゾール；およびジアルキルジチオリン酸亜鉛およびジアリールジチオリン酸亜鉛が挙げられる。
【００４９】
使用することができる、極圧添加剤、耐摩耗添加剤、摩擦低減添加剤の例としては、ジアルキルジチオリン酸亜鉛およびジアリールジチオリン酸亜鉛などの亜鉛化合物；チオジプロピオン酸エステル、ジアルキルスルフィド、ジベンジルスルフィド、ジアルキルポリスルフィド、アルキルメルカプタン、ジベンゾチオフェンおよび２，２’−ジチオビス（ベンゾチアゾール）などの硫黄化合物；ジアルキルジメルカプトチアジアオゾールおよびメチレンビス（Ｎ，Ｎ−ジアルキルジチオカルバメート）などの硫黄／窒素無灰耐摩耗添加剤；リン酸トリクレシルおよびリン酸トリアルキルなどのリン酸トリアリールなどのリン化合物；リン酸ジアルキルまたはジアリール；亜リン酸トリアルキルまたは亜リン酸トリアリール；ジメチルリン酸エステルのドデシルアミン塩など、アルキルおよびジアルキルリン酸エステルのアミン塩；亜リン酸ジアルキルまたはジアリール；亜リン酸モノアルキルまたはモノアリール；パーフルオロアルキルポリエーテル、トリフルオロクロロエチレンポリマーおよびフッ化黒鉛などのフッ素化合物；脂肪酸修飾シリコーンケイ素化合物などのケイ素化合物；モリブデンジスルフィド、グラファイト等が挙げられる。有機摩擦改質剤の例としては、長鎖脂肪アミンおよびグリセロールエステルが挙げられる。
【００５０】
使用することができる、消泡剤および予備発泡剤の例としては、ジメチルポリシロキサンなどのシリコーン油およびケイ酸ジエチルなどの有機ケイ酸エステルが挙げられる。使用することができる、金属不活性化剤の例としては、ベンゾトリアゾール、トリルトリアゾール、アリザリン、キニザリンおよびメルカプトベンゾチアゾールが挙げられる。さらに、フェニルグリシジルエーテル、アルキルグリシジルエーテル、アルキルグリシジルエステル、エポキシステアリン酸エステルおよびエポキシ化植物油などのエポキシ化合物、有機スズ化合物およびホウ素化合物が、酸捕捉剤または安定剤として添加され得る。
【００５１】
水分捕捉剤の例としては、オルトギ酸トリメチルおよびオルトギ酸トリエチルなどのオルトギ酸トリアルキル、１，３−ジオキサシクロペンタンなどのケタール、および２，２−ジアルキルオキサゾリジンなどのアミノケタールが挙げられる。
【００５２】
本発明のポリオールエステルと冷媒とを含む動作流体は、多種多様な冷凍および熱エネルギー伝達用途において使用することができる。非制限的な例としては、小窓空気調和装置、集中型家庭用空気調和ユニットから、軽い工業用空気調和装置および工場、オフィスビル、共同住宅用の大きな工業用ユニットまでの、すべての範囲の空気調和装置が挙げられる。冷凍用途としては、小さな家庭用器具、例えば家庭用冷蔵庫、冷凍庫、冷水器、自動販売機および製氷機、大規模な冷凍倉庫およびアイススケートリンクが挙げられる。食料品店のカスケード冷凍およびフリーザーシステムもまた、工業用途に含まれるだろう。熱エネルギー伝達用途には、家庭用加熱用の熱ポンプおよび熱水ヒーターが挙げられる。輸送に関連する用途としては、自動車およびトラックの空気調和、冷凍セミトレーラならびに海上および鉄道輸送冷凍コンテナが挙げられる。
【００５３】
上記の用途に有用な圧縮機のタイプは２つの広いカテゴリー：容積式圧縮機および動圧縮機に分類することができる。容積式圧縮機は、圧縮機の装置にかけられる仕事により圧縮チャンバの容積を低減することによって、冷媒蒸気圧を増加する。容積式圧縮機は、現在使用されている多くのスタイルの圧縮機、例えば往復圧縮機、回転圧縮機（ローリングピストン、回転翼型、一軸、二軸）および軌道（スクロールまたはトロコイド）を含む。動圧縮機は、回転部材からの運動エネルギーを蒸気に連続的に伝達し、続いて、このエネルギーを圧力上昇へと変換することによって、冷媒の蒸気圧を増加する。遠心圧縮機は、これらの原理に基づいて機能する。
【実施例】
【００５４】
ジフルオロメタン、つまりＲ−３２および潤滑剤を含む動作流体を製造し、Ｒ−３２／潤滑剤混和性を様々な温度、重量％で決定した。
表１に示すジペンタエリトリトールエステル混合物を使用して、実施例１〜７を製造した。
表２に示す潤滑剤を使用して、比較例Ａ〜Ｇを製造した。
【００５５】
以下の実施例において、ｉ−Ｃ５は、ペンタン酸／２−メチルブタン酸の約６６／３４混合物であり、ｉ−Ｃ９は、３，５，５−トリメチルヘキサン酸であり、ＰＥはペンタエリトリトールであり、ＤｉＰＥはジペンタエリトリトールであり、ＰＶＥはポリビニルエーテルである。
【００５６】
【表１】
0006021949.tif 000004
【００５７】
ｉ−Ｃ５はペンタン酸／２−メチルブタン酸の約２：１混合物であることから、実施例１〜３および５〜７において、Ｃ５アルキルカルボニル基の６７％はｎ−ペンタン酸から誘導され、３３％は２−メチルブタン酸から誘導される。
【００５８】
【表２】
0006021949.tif 000005
【００５９】
表３は、様々な潤滑剤重量％での上記動作流体に関して、それを超える温度で潤滑剤／Ｒ−３２混和性が確認される温度を示す。以下に示すように温度が低下した場合に、記載の潤滑剤重量％にて２つの相が識別できる。
【００６０】
【表３】
0006021949.tif 000006
【００６１】
【表４】
0006021949.tif 000007
【００６２】
多くの冷凍潤滑剤の基本要求は、それが０℃を超える温度ですべての濃度にて冷媒と単相を形成することである。上記のデータから、実施例１〜５のジペンタエリトリトールの潤滑剤それぞれで達成されているが、実施例６、７および比較例Ａ〜Ｈの潤滑剤では達成されていない。
【００６３】
実施例８〜１６において、実施例１、２および５からの高い混和性の潤滑剤を非ジペンタエリトリトールエステル潤滑剤とブレンドし、様々な温度および重量％にてＲ−３２／潤滑剤混和性を決定した。表４は、カルボキシレートがそれから誘導される酸を示し、いくつかの丸めの誤差が見られる。示す比は重量比である。表５は混和性の結果を示す。
【００６４】
実施例８では、実施例２からの潤滑剤と比較例Ｂの潤滑剤との１：２混合物が使用される。
【００６５】
実施例９〜１１では、実施例１からの潤滑剤と比較例Ｂの潤滑剤との１：２、１：１、および１：２混合物が使用される。
【００６６】
実施例１２では、実施例１の潤滑剤と、ｎ−ペンタン酸：３，５，５−トリメチルヘキサン酸の７２：２８混合物から誘導されるペンタエリトリトールエステルとの３：２混合物が使用される。
【００６７】
実施例１３および１４では、実施例１の潤滑剤と、ネオペンチルグリコールのｎ−ヘプタノイルエステルとの９：１および４：１混合物が使用される。
【００６８】
実施例１５では、実施例１の潤滑剤と、ペンタエリトリトール８０〜９５％およびジペンタエリトリトール１５〜２０％を含む工業的純度ペンタエリトリトールおよびｐ−ペンタン酸：ｎ−ヘプタン酸：３，５，５−トリメチルヘキサン酸の４３：４１：１６混合物から製造されるエステルとの３：１混合物が使用される。
【００６９】
実施例１６では、実施例１の潤滑剤と、比較例Ｂの潤滑剤との３：２混合物が使用される。
【００７０】
【表５】
0006021949.tif 000008
【００７１】
多くの冷凍潤滑剤の基本要求は、それが０℃を超える温度ですべての濃度にて冷媒と単相を形成しなければならないことである。下記表５のデータから、実施例８〜１６のブレンドそれぞれで、これが達成されている。
【００７２】
【表６】
0006021949.tif 000009
以下を特許請求する。
［請求項１］
ｉ）ジフルオロメタン（Ｒ−３２）を含む冷媒と、
ｉｉ）４０℃での動粘度３２〜１２０ｃＳｔを有し、直鎖状Ｃ５〜１０アルキルカルボキシエステルと分岐状Ｃ５〜１０アルキルカルボキシエステルの比が９：１〜１：９でジペンタエリトリトールの直鎖状および分岐状Ｃ５〜１０アルキルカルボキシエステルを含むポリオールエステル潤滑剤組成物であって、ジペンタエリトリトールの前記Ｃ５〜１０アルキルカルボキシエステルの６０モル％以上が直鎖状または分岐状Ｃ５アルキルカルボキシエステルである、ポリオールエステル潤滑剤組成物と、
を含む、熱伝達デバイス用の動作流体。
［請求項２］
ジペンタエリトリトールの前記Ｃ５〜１０アルキルカルボキシエステルの７０モル％以上が、直鎖状または分岐状Ｃ５アルキルカルボキシエステルである、請求項１に記載の動作流体。
［請求項３］
ジペンタエリトリトールの前記Ｃ５〜１０アルキルカルボキシエステルの７５モル％以上が、直鎖状または分岐状Ｃ５アルキルカルボキシエステルである、請求項１に記載の動作流体。
［請求項４］
直鎖状Ｃ５〜１０アルキルカルボキシエステルと分岐状Ｃ５〜１０アルキルカルボキシエステルの前記比が６：１〜１：６である、請求項１〜３のいずれか一項に記載の動作流体。
［請求項５］
直鎖状Ｃ５〜１０アルキルカルボキシエステルと分岐状Ｃ５〜１０アルキルカルボキシエステルの前記比が５：１〜１：５である、請求項１〜３のいずれか一項に記載の動作流体。
［請求項６］
前記ポリオールエステル潤滑剤組成物が、４０℃での動粘度３２〜１００ｃＳを有する、請求項１に記載の動作流体。
［請求項７］
前記ポリオールエステル潤滑剤組成物が、４０℃での動粘度４６〜１００ｃＳｔを有する、請求項１に記載の動作流体。
［請求項８］
前記ポリオールエステル潤滑剤組成物がさらに、ネオペンチルグリコール、トリメチロールプロパン、ペンタエリトリトール、トリペンタエリトリトール、および／またはペンタエリトリトールモノマー４個以上を含むオリゴマーの直鎖状または分岐状Ｃ５〜１０アルキルカルボキシエステルをさらに含み、前記Ｃ５〜１０アルキルカルボキシエステルすべての５０モル％以上が直鎖状または分岐状Ｃ５アルキルカルボキシエステルであり、かつ存在するＣ５〜１０アルキルカルボキシエステルすべてが、直鎖状Ｃ５〜１０アルキルカルボキシエステルと分岐状Ｃ５〜１０アルキルカルボキシエステルの比が９：１〜１：９である、請求項１に記載の動作流体。
［請求項９］
前記ポリオールエステル潤滑剤組成物が、ジペンタエリトリトールのＣ５〜１０アルキルカルボキシエステル３０〜９０重量％、およびネオペンチルグリコール、トリメチロールプロパンおよび／またはペンタエリトリトールのＣ５〜１０アルキルカルボキシエステル１０〜７０重量％を含み、前記重量％が、前記ポリオールエステル潤滑剤組成物の全重量に対する％である、請求項８に記載の動作流体。
［請求項１０］
前記ポリオールエステル潤滑剤組成物が、ジペンタエリトリトールのＣ５〜１０アルキルカルボキシエステル５０〜９０重量％、およびネオペンチルグリコール、トリメチロールプロパンおよび／またはペンタエリトリトールのＣ５〜１０アルキルカルボキシエステル１０〜５０重量％を含む、請求項９に記載の動作流体。
［請求項１１］
前記ポリオールエステル潤滑剤組成物が、ジペンタエリトリトールのＣ５〜１０アルキルカルボキシエステル３０〜７０重量％、およびペンタエリトリトールのＣ５〜１０アルキルカルボキシエステル３０〜７０重量％を含む、請求項８に記載の動作流体。
［請求項１２］
直鎖状Ｃ５〜１０アルキルカルボキシエステルと分岐状Ｃ５〜１０アルキルカルボキシエステルの比が６：１〜１：６である、請求項８〜１１のいずれか一項に記載の動作流体。
［請求項１３］
直鎖状Ｃ５〜１０アルキルカルボキシエステルと分岐状Ｃ５〜１０アルキルカルボキシエステルの比が５：１〜１：５である、請求項８〜１１のいずれか一項に記載の動作流体。
［請求項１４］
前記冷媒がＲ−３２を含み、かつ前記冷媒の１５重量％未満がＲ−３２以外の冷媒であり、かつ他のヒドロフルオロカーボン冷媒、ＣＯ２、アンモニアおよび炭化水素冷媒から選択される、請求項１、２、３、または６〜１１のいずれか一項に記載の動作流体。
［請求項１５］
前記冷媒がＲ−３２を含み、かつ前記冷媒の１０重量％未満がＲ−３２以外の冷媒である、請求項１、２、３、または６〜１１のいずれか一項に記載の動作流体。
［請求項１６］
前記ヒドロフルオロカーボン冷媒が本質的にＲ−３２からなる、請求項１、２，３または６〜１１のいずれか一項に記載の動作流体。
［請求項１７］
１種または複数種の酸化防止剤、極圧添加剤、耐摩耗添加剤、摩擦低減添加剤、消泡剤、予備発泡剤、金属不活性化剤、酸捕捉剤またはその混合物をさらに含む、請求項１、２、３または６〜１１のいずれか一項に記載の動作流体。